(57)【要約】      （修正有）【課題】パルス幅変調型モータ速度制御器を提供する。【解決手段】パルス幅変調型モータ速度制御器１０は、パルス幅デコーダ２、及びパルス幅デコーダ２に接続する駆動器１及び基準電圧回路３を設置し、且つ駆動器１は、電界効果トランジスタ４に接続し、パルス幅デコーダ２及び基準電圧回路３は、直流電源を入力し、電界効果トランジスタ４は、直流モータ５を接続し、外部制御パルスがパルス幅デコーダ２に入力された後、パルス幅デコーダ２は、パルス波及び基準電圧回路３が伝送する基準電圧に基づき、高速変調速度制御パルス波を駆動器１に出力し、駆動器１は、高速変調速度制御パルス波に基づき、電界効果トランジスタ４を制御し、直流モータ５を動作させ、直流モータ５の速度の制御を高効率、低エネルギー消費、低コストにさせる。【選択図】図１
0003207483.tif 000002
【実用新案登録請求の範囲】
【請求項１】
パルス幅デコーダ、及び前記パルス幅デコーダに接続する駆動器及び基準電圧回路を設置し、且つ前記駆動器は、電界効果トランジスタに接続し、前記パルス幅デコーダ及び前記基準電圧回路は、直流電源を入力し、前記電界効果トランジスタは、直流モータを接続し、外部制御パルスが前記パルス幅デコーダに入力された後、前記パルス幅デコーダは、パルス波及び前記基準電圧回路が伝送する基準電圧に基づき、高速変調速度制御パルス波を前記駆動器に出力し、前記駆動器は、前記高速変調速度制御パルス波に基づき、電界効果トランジスタを制御し、直流モータを動作させるパルス幅変調型モータ速度制御器。
【請求項２】
前記パルス幅デコーダ及び前記基準電圧回路がレギュレータを接続し、且つ前記レギュレータは、フィルタ回路を接続し、前記直流電源は、前記フィルタ回路及び前記レギュレータを経由し、前記パルス幅デコーダ及び前記基準電圧回路の動作時に必要な電源を供給する請求項１に記載のパルス幅変調型モータ速度制御器。
【請求項３】
前記電界効果トランジスタが複数設置され、各電界効果トランジスタは、それぞれ直流モータを接続する請求項１に記載のパルス幅変調型モータ速度制御器。
【考案の詳細な説明】
【技術分野】
【０００１】
本考案は、パルス幅変調モータ速度制御器であり、特に、パルス幅変調方式を利用して直流モータに対して速度変調を行う制御器に関する。
【背景技術】
【０００２】
直流モータは、迅速な変調速度で各種回路及び電動スイッチの駆動用途に適用でき、従来の方式は、電圧の高低を使用して変調速度を制御し、例えば、ＴＲＩＡＣ（双方向制御シリコンダイオード）又はＳＣＲ（シリコン制御単方向ダイオード）又は可変電圧制御Ｔｒａｎｓｉｓｔｏｒ（トランジスタ）であり、制御効率が低く、消費エネルギーが高くなっている。サーボ制御を使用する時、回路構造が複雑になり、コストが上昇し、故障が多い等の問題を招く。
【０００３】
如何にして直流モータの速度変調を簡単に行い、且つ効率を向上させ、消費エネルギー及びコストを低減し、即ち、関連業者が改善すべき課題となっている。
【先行技術文献】
【特許文献】
【０００４】
【特許文献１】特開2016-123194号公報
【考案の概要】
【考案が解決しようとする課題】
【０００５】
本考案の目的は、パルス幅デコーダ及び駆動器の動作を利用し、高速な変調速度に基づいてパルス波を制御し、電界効果トランジスタを制御し、直流モータを動作させ、直流モータの速度の制御を高効率、低エネルギー消費、低コストにさせ、経済効果に適合させる。
【課題を解決するための手段】
【０００６】
上記の目的を達成する為、本考案のパルス幅変調型モータ速度制御器は、パルス幅デコーダ、及びパルス幅デコーダに接続する駆動器及び基準電圧回路を設置し、且つ駆動器は、電界効果トランジスタに接続し、パルス幅デコーダ及び基準電圧回路は、直流電源を入力し、電界効果トランジスタは、直流モータを接続し、外部制御パルスがパルス幅デコーダに入力された後、パルス幅デコーダは、パルス波及び基準電圧回路が伝送する基準電圧に基づき、高速変調速度制御パルス波を駆動器に出力し、駆動器は、高速変調速度制御パルス波に基づき、電界効果トランジスタを制御し、直流モータを動作させる。
【０００７】
前記パルス変調型モータ速度制御器は、該パルス幅デコーダ及び基準電圧回路がレギュレータを接続し、且つレギュレータは、フィルタ回路を接続し、直流電源は、フィルタ回路及びレギュレータを経由し、パルス幅デコーダ及び基準電圧回路の動作時に必要な電源を供給する。
【０００８】
前記パルス幅変調型モータ速度制御器は、該電界効果トランジスタが複数設置され、各電界効果トランジスタは、それぞれ直流モータを接続する。
【考案の効果】
【０００９】
本考案のパルス幅変調型モータ速度制御器は、パルス幅デコーダ及び駆動器の動作を利用し、高速な変調速度に基づいてパルス波を制御し、電界効果トランジスタを制御し、直流モータを動作させ、直流モータの速度の制御を高効率、低エネルギー消費、低コストにさせ、経済効果に適合させる。
【図面の簡単な説明】
【００１０】
【図１】本考案のブロック図である。
【図２】本考案の回路図である。
【考案を実施するための形態】
【００１１】
図１及び図２を参照し、図から明確に分かるように、本考案の制御器１０は、端子組８及びパルス幅デコーダ２を設置し、パルス幅デコーダ２は、駆動器１及び基準電圧回路３を接続し、駆動器１は、電界効果トランジスタ４を接続し、パルス幅デコーダ２及び基準電圧回路３は、レギュレータ６を接続し、且つレギュレータ６は、フィルタ回路７を接続する。
【００１２】
該端子組８は、第１接続端子８１、複数の第２接続端子８２、第３接続端子８３及び接地端子８４を設置し、第１接続端子８１は、直流電源に接続し、各第２接続端子８２は、それぞれ直流モータ５に接続し、第３接続端子８３は、外部制御パルス波を入力させる。
【００１３】
該フィルタ回路７は、端子組８の第１接続端子８１に接続し、フィルタ回路７は、Ｌ１インダクタ、Ｃ１コンデンサ及びＣ２コンデンサから構成され、直流電源を、フィルタ回路７を介してノイズ信号をフィルタリングさせ、内部パルスの漏洩を逆向き制御した後、レギュレータ６に伝送し、整流を行い、且つ安定後の電圧は、Ｃ３コンデンサにより二次フィルタリングを行った後、パルス幅デコーダ２の第５ピン及び基準電圧回路３に伝送され、パルス幅デコーダ２２及び基準電圧回路３の動作が必要な電源を供給する。
【００１４】
該基準電圧回路３は、Ｒ３抵抗、Ｒ４抵抗及びＣ５コンデンサから構成され、基準電圧回路３は、基準電圧を発し、パルス幅デコーダ２の第６ピンに入力する。
【００１５】
該電界効果トランジスタ４は、複数設置され、各電界効果トランジスタ４は、それぞれ端子組８の第２接続端子８２及び駆動器１の第５ピン及び第７ピンに接続される。
【００１６】
外部制御パルス波が第３接続端子８３からパルス幅デコータ２の第４ピンに入力された後、パルス幅デコーダ２は、パルス波の極性及び幅を検測し、正負パルス波の幅を判別し、基準電圧回路３が入力する基準電圧により、パルス幅デコーダ２の第３ピンを機動的に経由し高速変調速度制御パルス波を駆動器１に出力し、駆動器１の第５ピン及び第７ピンから速度制御駆動パルス波を送り出し、電界効果トランジスタ４を制御し、電界効果トランジスタ４に第２接続端子８２に接続する直流モータ５の動作を制御させ、高速変調により速度制御を行い、直流モータ５の速度を高効率、低エネルギー消費、低コストにし、経済効果に適合させる。
【００１７】
また、図２に示されるＲ１抵抗は、パルスデコーダ２の第４ピンに接続し、このピンをＨＩＧＨ（論理高電位）にさせ、外部制御波入力ピンとし、Ｒ２抵抗が第３接続端子８３に接続し、Ｃ４コンデンサは、パルス入力ノイズフィルタに用いられ、Ｄ１ツェナーダイオードは、外部制御パルス波入力の過電圧保護ダイオードである。また、Ｒ６抵抗及びＲ７抵抗がパルス幅デコーダ２の第３ピンであり、高速変調速度制御パルス波を駆動器１のバッファ抵抗に出力し、Ｒ８抵抗、Ｒ９抵抗は、駆動器１のオフ確認ＬＯＷ（論理低電位）である。Ｄ２ダイオード、Ｄ３ダイオードは、クランプダイオードであり、直流モータ５の逆起電力をクランプすることに用い、Ｒ１２抵抗、Ｒ１３抵抗は、電界効果トランジスタ４のゲート電極バッファ抵抗であり、Ｒ１０抵抗、Ｒ１１抵抗は、ＭＯＳＦＥＴ電界効果トランジスタ４の振動又は誤動作抑制提供である。
【００１８】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００１９】
１０  制御器
１  駆動器
２  パルス幅デコーダ
３  基準電圧回路
４  電界効果トランジスタ
５  ＤＣモータ
６  レギュレータ
７  フィルタ回路
８  端子組
８１  第１接続端子
８２  第２接続端子
８３  第３接続端子
８４  接地端子Ｃ１〜Ｃ７、コンデンサ
Ｄ１  ツェナーダイオード
Ｄ２、Ｄ３  ダイオード
Ｌ１  インダクタ
Ｒ１〜Ｒ１３  抵抗
【図１】
0003207483.tif 000003
【図２】
0003207483.tif 000004